(57)【要約】  テンプル（５）との関節式連結を生じる目的で、前記テンプル（５）の関節式連結のために設けられた一対の側方のヨロイ（４）を有するフロントマウント（２）を備える眼鏡フレームであって、前記ヨロイ（４）は、第１のヨロイ部（４ａ）を備え、前記第１のヨロイ部（４ａ）は、前記第１のヨロイ部（４ａ）との対向位置で前記第１のヨロイ部（４ａ）に対して折り曲げられた第２のヨロイ部（４ｂ）まで延び、前記第２のヨロイ部（４ｂ）は、互いに離間する一対の両側のウイング（９ａ，９ｂ）によって側方の境界が定められた第１の貫通開口（８）を含み、前記ウイングは、交差部材（１０）によって前記第２のヨロイ部（４ｂ）の自由端に接続され、延出片（１１）が、前記開口（８）内でかつ前記第１のヨロイ部（４ａ）の方向に前記交差部材（１０）から延出する。【選択図】  図１
2018530012.tif 000002
【特許請求の範囲】
【請求項１】
テンプル（５）との関節式連結を生じる目的で、前記テンプル（５）の関節式連結のために設けられた一対の側方のヨロイ（４）を有するフロントマウント（２）を備える眼鏡フレームであって、
前記ヨロイ（４）は、第１のヨロイ部（４ａ）を備え、前記第１のヨロイ部（４ａ）は、前記第１のヨロイ部（４ａ）との対向位置で前記第１のヨロイ部（４ａ）に対して折り曲げられた第２のヨロイ部（４ｂ）まで延び、前記第２のヨロイ部（４ｂ）は、互いに離間する一対の両側のウイング（９ａ，９ｂ）によって側方の境界が定められた第１の貫通開口（８）を含み、前記ウイングは、交差部材（１０）によって前記第２のヨロイ部（４ｂ）の自由端に接続され、延出片（１１）が、前記開口（８）内でかつ前記第１のヨロイ部（４ａ）の方向に前記交差部材（１０）から延出し、
前記テンプル（５）は各々、対応する前記ヨロイ側の自由端（５ａ）の領域に、頭部（１４）に延びるテンプル部（１３）を含み、第２の開口（１５）が、前記テンプルの前記テンプル部（１３）と前記頭部（１４）の間の接続区域の領域において前記テンプル部（１３）を貫通するように形成され、
前記フレームの前記テンプル（５）の各々の開位置と閉位置の間の移動中に、前記テンプル部（１３）が、前記第２のヨロイ部（４ｂ）の前記両側のウイング（９ａ，９ｂ）間で案内されるように、かつ横断方向に当接した状態で、前記開位置と前記閉位置に対して遠ざかる方向および近づく方向に移動されることができるように、前記テンプル部（１３）は、限られた横断方向の接続の遊びを持って前記ウイング（９ａ，９ｂ）間に受容され、かつ前記延出片（１１）は、限られた接続の遊びを持って前記第２の開口（１５）に係合され、前記延出片（１１）は、前記ヨロイ（４）と前記テンプル（５）の間でヒンジのような移動を生じさせるために、前記第２の開口（１５）内をスライドしながら案内され、
対応する前記ヨロイ（４）への各テンプル（５）の接続中に、前記テンプル（５）の回転移動中の前記頭部（１４）の移動による前記第１のヨロイ部（４ａ）と第２のヨロイ部（４ｂ）の相互に離れる移動の結果として、前記第１のヨロイ部（４ａ）に向かう前記第２のヨロイ部（４ｂ）の弾性復帰付勢作用が生じるように、前記テンプルの前記頭部（１４）は、前記交差部材（１０）と前記第１のヨロイ部（４ａ）の間に介在されることとを特徴とする、眼鏡フレーム。
【請求項２】
前記延出片（１１）と前記ウイング（９ａ，９ｂ）の間には、前記テンプル部（１３）の側縁（１３ａ）と前記第２の開口（１５）の縁（１５ａ）の間に画定される前記テンプル部の対応する部分（１６ａ，１６ｂ）を、限られた接続の遊びを持って受容することができる座部（１７ａ，１７ｂ）の境界が定められ、前記座部（１７ａ，１７ｂ）は、対応する前記ウイング（９ａ，９ｂ）と前記延出片（１１）の対向面によって横断方向の境界が定められ、前記座部（１７ａ，１７ｂ）は、前記テンプルが前記フレームの前記閉位置に移動されるときに前記テンプル部の前記対応する部分（１６ａ，１６ｂ）と当接するように横断方向に移動することができる、請求項１に記載の眼鏡フレーム。
【請求項３】
前記延出片（１１）は、前記第１のヨロイ部（４ａ）に向かって折り曲げられた自由端を有し、前記延出片（１１）の前記端は、前記フレーム上の前記閉位置で前記テンプルに許容される所定の最大の角度形成の領域において前記頭部に接触するように配置されることによって前記テンプルの前記頭部（１４）に干渉することができる、請求項１または請求項２に記載の眼鏡フレーム。
【請求項４】
前記ヨロイ（４）の各々は、板状構造から形成され、前記第２のヨロイ部（４ｂ）は、前記第１のヨロイ部（４ａ）に対して実質的に１８０°折り曲げられている、請求項１〜請求項３の何れか１項に記載の眼鏡フレーム。
【請求項５】
少なくとも前記自由端は板状の形をしている、請求項４に記載の眼鏡フレーム。
【請求項６】
前記ヨロイ（４）および／または前記テンプル（５）の少なくとも前記自由端は、金属材料の板から形成される、請求項５に記載の眼鏡フレーム。
【請求項７】
前記ヨロイ（４）の前記第１の部分（４ａ）には、前記テンプルが前記フレームに対して前記開位置に回転するときに前記延出片（１１）の前記自由端を少なくとも部分的に受容することができる凹み（１２）が設けられる、請求項１〜請求項６の何れか１項に記載の眼鏡フレーム。
【請求項８】
前記凹み（１２）は、前記第１のヨロイ部（４ａ）を通る貫通開口の形で生成される、請求項７に記載の眼鏡フレーム。
【請求項９】
前記第１のヨロイ部（４ａ），前記交差部材（１０），および前記頭部（１４）は、前記テンプルの開いた状態では相互に表面を重ね合わせた状態で配置され、前記テンプルの前記頭部（１４）は、前記テンプル（５）の閉じた状態において前記テンプルの前記頭部（１４）が前記交差部材（１０）に実質的に垂直に配置される構成に達するまで、前記第２のヨロイ部（４ｂ）によって加えられる前記弾性復帰作用に逆らって、前記交差部材（１０）に対する相対移動が可能である、請求項１〜請求項８の何れか１項に記載の眼鏡フレーム。
【請求項１０】
前記延出片（１１）は、前記第１のヨロイ部（４ａ）の方向に前記交差部材（１０）から突出する歯の形に作られている、請求項１〜請求項９の何れか１項に記載の眼鏡フレーム。
【請求項１１】
前記テンプルの前記頭部（１４）は、前記テンプル部（１３）に対して増大した横断方向の空間的要求寸法を有し、互いに反対の位置にありかつ前記テンプル部（１３）から横断方向に突出する一対の肩（１４ａ，１４ｂ）を含む、請求項１〜請求項１０の何れか１項に記載の眼鏡フレーム。
【請求項１２】
前記フロントマウント（２）は、レンズキャリアリム（３ａ、３ｂ）を含み、前記リム（３ａ、３ｂ）の外形輪郭は、前記フロントマウント（２）に設けられかつそれに隣接する前記側方のヨロイ（４）の方向に前記リム（３ａ、３ｂ）から夫々延出する貫通スロット（２０）の設置によって開放され、前記スロット（２０）は、前記フレームの横断方向の厚みを貫通する切欠きを有する輪郭によって画定される、請求項１〜請求項１１の何れか１項に記載の眼鏡フレーム。
【請求項１３】
前記フレームの前記レンズキャリアリム（３ａ、３ｂ）におけるレンズの安定的な保持作用のために、前記スロット（２０）によって分離された前記ヨロイの一方の部分を他方の部分に対して付勢するために、前記側方のヨロイ（４）に対する接続が可能なクリップ嵌合要素（２５）が設けられる、請求項１２に記載の眼鏡フレーム。
【発明の詳細な説明】
【技術分野】
【０００１】
本発明は、主請求項１のプリアンブルに記述された特徴を有する眼鏡フレームに関する。
【背景技術】
【０００２】
本発明の技術分野において、フロントマウントに対するテンプルの関節式連結が、回転可能に互いに結合されるピンおよびハトメ状の座部（eye-like seat）を夫々有するヒンジ装置によって行われる眼鏡フレームが周知であり、この装置のヒンジ要素は、テンプル（arm）とフレームのヨロイ（lug）に適切に固定的に接合される。
【０００３】
この種類の方法は、先行技術の利用可能な多様なバージョンにおいて、従来、ねじまたはヒンジピンの考え得る望ましくない緩み、ヒンジによる関節式連結に必要な複数の部品を製造する必要性、必要な部品によって決まる空間的要求、および軽量型のフレームでの使用にはあまり適さないヒンジ装置の重量自体を含む、幾つかの限界を伴っている。
【０００４】
上述の種類の従来のヒンジ構造が設けられていないフレームのヨロイに対するテンプルの関節式連結のための方法が周知であり、一例が仏国公開公報第１００９３４５号明細書に記載されている。この明細書には、ヨロイに対してテンプルを弾性的にロックすることによる関節式連結用システムが記載されている。そのシステムには、相互の弾性挙動を備えるのに十分な長さにわたって三つの分離した部分に分割されるフロントヨロイ側のテンプル端部が設けられている。中央の部分の折り曲げられた端部は、側方の部分とともに、フレームに設けられたピン状構造の周りに関節式の方法でテンプルを保持している。
【０００５】
別の種類の方法が特開２０１１−０９５６９１号公報明細書に記述されており、この公報では、弾性の板から作成された一つ以上の細長い要素が、ヨロイ側のテンプルの端部に切削によって形成され、その折り曲げられた端部が、ヨロイ部に形成された対応する貫通開口と係合するように設けられ、それにより、関節式の方法でフレームのヨロイに対してテンプルが保持されている。
【発明の概要】
【発明が解決しようとする課題】
【０００６】
しかしながら、テンプルの関節式連結を伴うこれらの最終的な方法は両方とも、幾つかの限界を有している。まず、ヨロイに対するテンプルの接続は、フレームに対して極限まで開いた状態と閉じた状態の間のテンプルの全ての位置において、特に、安定しているというわけではなく、特に、テンプルはヨロイに対して（テンプルを開いたときのフレームの前面に対して横断的に）相対的に動きやすく、テンプルとヨロイの間に一種の相対的な振動を生じ、この接続の不十分な安定性と、それに伴う接続の過剰な遊びの結果として生じる技術的に許容できないことや、フレームの着用感を損なう可能性もある。
【０００７】
別の限界は、ヨロイからのテンプルの偶発的な離脱にさらされる可能性があるという事実に関連し、主に、相対接続の力がテンプルに形成された薄板状の要素の弾性的付勢によって排他的に生成されるという事実による。弾性接続の力を克服するような大きさの起こり得る偶発的な衝撃または引張作用が、フレームからの分離によるテンプルのヨロイからの関節離断を生じる可能性がある。
【課題を解決するための手段】
【０００８】
本発明の主な目的は、フレームのフロントに対するフレームの関節式連結手段を備える眼鏡フレームを製造することにあり、このフレームは、既知の方法を参照して記述された限界を克服するように構造的かつ機能的に構成され、特に、このフレームは、テンプルの関節式連結手段に関して、このフレーム上への組み付けが容易であり、特に軽量であり、特に細長く、かつ軽量なフレームで使用されることもできるように空間的要求が限られた構造を有し、同時に、テンプルの移動の間や、フレームの前記テンプルの極限の開位置および閉位置における相対接続の高い安定性を保証している。
【０００９】
この目的および以下でさらによく理解される他の目的は、添付の特許請求の範囲に従って製造される眼鏡フレームによって達成される。
【図面の簡単な説明】
【００１０】
本発明のさらなる特徴および利点は、以下の添付図面を参照して非限定的な例として示される本発明の幾つかの好適な実施の形態の以下の詳細な説明から、よりよく理解される。
【００１１】
【図１】本発明の第１の実施の形態に基づいて製造される眼鏡フレームの斜視図である。
【図２】図１のフレームの詳細の内、フレームの当該ヨロイ（front lug）に対するテンプル（arms）の１つの関節の部分拡大斜視図である。
【図３】図２の詳細の斜視図であり、フレームのヨロイに対するテンプルの関節動作の状態が示されている。
【図４】図２の詳細の斜視図であり、フレームのヨロイに対するテンプルの関節動作の状態が示されている。
【図５】図２の詳細の斜視図であり、フレームのヨロイに対するテンプルの関節動作の状態が示されている。
【図６】図２の詳細の斜視図であり、フレームのヨロイに対するテンプルの関節動作の状態が示されている。
【図７】図６の状態で描かれた詳細の上面図である。
【図８】図３の状態で描かれた詳細の部分斜視図である。
【図９】図３の状態で描かれた詳細の側面図である。
【図１０】図８および図９の詳細の正面図である。
【図１１】図９の直線XI-XIに沿った断面図である。
【図１２】図１〜図１１の詳細の構成要素の一つの側面図である。
【図１３】図２の構成要素の正面図である。
【図１４】図１２の直線XIV-XIVに沿った断面図である。
【図１５】図１〜図１４の詳細の他の構成要素の部分側面図である。
【図１６】本発明の第２の実施の形態の図８の詳細の斜視図である。
【図１７】本発明の第２の実施の形態の図８の詳細の斜視図である。
【図１８】本発明の第２の実施の形態の図８の詳細の斜視図である。
【図１９】図１６〜１８の詳細の構成要素の一つの部分斜視図である。
【図２０】本発明の第３の実施の形態の図２と対応する斜視図である。
【図２１】図２０の詳細の拡大斜視図である。
【図２２】図２０の詳細の拡大斜視図である。
【図２３】図２０の詳細の拡大斜視図である。
【図２４】図２０〜図２３の詳細の構成要素の１つの部分斜視図である。
【図２５】中間の組立ステップが示された、他の実施の形態における、図１〜図２４のフレームの詳細の構成要素の１つの部分正面図である。
【図２６】中間の組立ステップが示された、他の実施の形態における、図１〜図２４のフレームの詳細の構成要素の１つの部分正面図である。
【図２７】中間の組立ステップが示された、他の実施の形態における、図１〜図２４のフレームの詳細の構成要素の１つの部分正面図である。
【図２８】中間の組立ステップが示された、他の実施の形態における、図１〜図２４のフレームの詳細の構成要素の１つの部分正面図である。
【図２９】中間の組立ステップが示された、他の実施の形態における、図１〜図２４のフレームの詳細の構成要素の１つの部分正面図である。
【図３０】中間の組立ステップが示された、他の実施の形態における、図１〜図２４のフレームの詳細の構成要素の１つの部分正面図である。
【図３１】本発明のフレームの構成要素の一つの他の変形例の斜視図である。
【図３２】本発明のフレームの構成要素の一つの他の変形例の斜視図である。
【図３３】図３１および図３２の詳細との接続のために設けられるアクセサリーの斜視図である。
【図３４】図３３および図３４の詳細との接続のために設けられるアクセサリーの斜視図である。
【図３５】図３３および図３４のアクセサリーと接続された状態における、図３１および図３２の詳細の斜視図である。
【図３６】図３３および図３４のアクセサリーと接続された状態における、図３１および図３２の詳細の斜視図である。
【発明を実施するための形態】
【００１２】
上記図面を参照すると、本発明の第１の実施の形態に基づいて製造される眼鏡フレームが、全体として参照番号１で示されている。このフレームは、レンズ３を保持するためのフロントマウント（front mount）２であって、このフロントマウントに対するテンプル（arm）５の関節式連結のために設けられた一対のヨロイ（a pair of opposing lateral lugs）４を備えている。
【００１３】
各テンプル５の対応するヨロイ４に対する関節式連結のために、フレームは、全体として参照番号６で示され、フロントマウントに対するテンプルの対応する開位置と閉位置の間の回転を可能にするのに適した関節式連結手段を含んでいる。
【００１４】
その構造的かつ機能的な同一性の結果として、以下では、フレームのフロントマウント２に対するテンプル５の一方の関節式連結手段を詳述する。
【００１５】
図面に見られるように、テンプル５および対応するヨロイ４は、厚みの薄い好適な板状構造を有している。言い換えれば、テンプルの（および対応するヨロイの）断面は、眼鏡を装着した状態で側頭区域と実質的に平行に測定されるテンプルの高さの寸法が、この高さを横断するように測定されるテンプルの厚みよりもはるかに大きい。厚みの薄い断面の形成は、それが作られる材料、好ましくは金属材料の選択とともに、特に細長いテンプルの長手方向範囲にわたって寸法を減少したことにより、通常、非常に軽量であるという特徴をテンプルに授け、また大きな美的影響を有する全体的なデザインをフレームにさらに授けている。これに関して、テンプルとフレームのフロントマウントの形成には金属薄板構造が特に適している。
【００１６】
上述の板状構造に従い、テンプル５の横断方向の厚みは、その両側面６ａ、６ｂの間に画定され、対応するヨロイ４の厚みは、同様に、ヨロイ自体の両側面７ａ、７ｂの間に境界が定められる。
【００１７】
有利なことに、ヨロイ４は、フレームのフロントマウント２と一体的に作られ、第２のヨロイ部４ｂに延びる第１のヨロイ部４ａを含み、第２のヨロイ部は、第１の部分４ａと対向するように（第１および第２のヨロイ部の面７ａを互いに対向する位置に配置した状態で）第１の部分４ａに対して折り曲げられている。このような構成は、第２のヨロイ部４ｂを第１のヨロイ部４ａに対して約１８０°折り曲げられることによって、例えば金属薄板から得られる、実質的に平らなヨロイの板状構造の結果として得ることができる。
【００１８】
第２のヨロイ部４ｂには、互いに平行で互いに離間し、かつ交差部材１０によって第２のヨロイ部の自由端に接続される一対のウイング９ａ，９ｂによって横方向の範囲が定められた、第１の貫通開口８が設けられている。交差部材１０から第１のヨロイ部４ａの方向に開口８内に延出する延出片（extension piece）が参照番号１１で示されている。一種の歯状構造として構成された延出片１１は、その第１の平面部１１ａが交差部材と平行な状態で、交差部材１０の中央区域から延出しており、第１の平面部１１ａは、その第１の部分に対して直角に曲がった第２の部分１１ｂに延びている。交差部材１０の平面から突出するこの第２の部分１１ｂの自由端部は、テンプルの開いた状態（図３および図１１）において、第１のヨロイ部に形成されている凹み１２に受容されることができ、この凹みは、好ましくは、ヨロイ自体の厚み（特に第１のヨロイ部４ａ）を貫通するように作成される。凹み１２の設置により、一方では、その機能に適した範囲を備える延出片１１の部分１１ｂを作成することが可能になり、他方では、第１のヨロイ部４ａと第２のヨロイ部４ｂの間の（交差部材１０が介在した状態での）弾性復帰作用が、テンプルの開位置と閉位置の間の全ての状態下で、干渉を受けることなく加えられることができることを可能にする。構造の変形において、フレームの外側から見えないように第１のヨロイ部４ａにおける面７ａに設けられた単純な表面の低くなった部分の形に作られた凹み１２を設けることができる。
【００１９】
交差部材１０は、さらに、「Ｓ」状の折り曲げ区域によってウイング９ａ，９ｂに接続され、その結果、ウイング９ａ，９ｂは、第１のヨロイ部から離間され、交差部材は、図１３および図１４に明確に示すように、第１のヨロイ部に対して、支持するように接触しながら当接している。
【００２０】
テンプル５は、ヨロイ側のその自由端５ａをヨロイの貫通開口８に挿入することにより、ヨロイ４に関節式連結するように取り付けられる。
【００２１】
より具体的には、テンプルは、その端部５ａの領域に、テンプル部（arm portion）１３を含み、テンプル部１３は、テンプルの高さに対する寸法が、テンプル部１３と連続されるテンプル本体の高さ未満であり、この部分は、この部分自体に対して拡幅した端部を有する頭部１４に延びている。
【００２２】
頭部１４は、好ましくは、図１５に明確に示すように、互いに反対の位置にあり、かつ部分１３から側方に突出する一対の肩１４ａ，１４ｂを備えている。このような構造は、例えば、肩１４ａ，１４ｂと高さを減少したテンプル部１３が画定されるような二つの両側の側方部材を提供することにより、切削工程（cutting processing）を用いてテンプル本体から材料と除去することによって有利に得られる場合がある。
【００２３】
頭部１４と部分１３の間の接続区域において、テンプルには、参照番号１５で示す貫通開口が形成され、その機能は、本明細書の以下の説明からはっきりと理解される。開口１５は、開口１５で一対の部分１６ａ，１６ｂの境界を定めるように、テンプル部１３において中央位置に設けられ、部分１６ａ，１６ｂは、部分１３の対応する側縁１３ａと開口１５の一端の夫々の側縁１５ａの間に画定され、その対応する側縁１３ａと夫々の側縁１５ａは互いに隣接している。
【００２４】
開口８への挿入に続き、ヨロイ上にテンプルを組み付けるステップの間、テンプルの端部５ａは、第１のヨロイ部４ａと第２のヨロイ部４ｂとの間に介在させたままである。この組み付けにより、頭部１４が交差部材１０と第１のヨロイ部４ａの対応する面７ａの間に介在した構成でウイング９ａ，９ｂの間に限られた横断方向の接続の遊びを持って受容される（かつ横断方向に当接している）テンプル部１３が提供され、延出片１１も、開口１５に、限られた接続の遊びを持って係合される。この構成を得るために、ヨロイ部４ａ、４ｂは、予め互いに開いておき、その後上述の位置（図３）に弾性的に復帰する。フロントマウントに対するテンプルの開いた状態を指すこの位置では、テンプルは、ヨロイ上に安定的に保持される。テンプルは、開口１５内の延在部材１１の係合の結果として、ウイング９ａ，９ｂ間のテンプル部１３の支持および保持作用の結果として、かつヨロイ部４ａ、４ｂ間の相対的な離間移動によって生じる、頭部に対してヨロイによって加えられる弾性的な付勢の効果として、保持される。
【００２５】
テンプルとヨロイの間の相対的な支持および保持作用は、さらに、フロント上の閉じた状態（図６）に向かうテンプルの移動の間、維持される。テンプルの回転の間、テンプル部１３は、両側のウイング９ａ，９ｂの間で案内されることによって、かつそれらの間で横断方向に当接した状態で、開位置および閉位置に向かう移動およびそれらの位置から離れる移動が行われると同時に、延出片１１は、ヨロイとテンプルの間にヒンジのような移動を生じさせるために、開口１５内をスライドしながら案内されるように保持される。さらに、頭部の肩と交差部材の間の相対的スライド効果の結果として、関節式連結移動の間に第１および第２のヨロイ部の間に弾性的な復帰を付勢する作用を生じるようにそれらの部分の間で互いに離間する移動が生じる。図４および図５は、テンプルの極限の開位置と閉位置の間の二つの異なる中間位置を示している。
【００２６】
図６および図７に詳細に示すテンプルの閉位置に達すると、テンプル部１３は、第１のヨロイ部４ａに対して実質的に垂直になり、交差部材は、頭部から離れ、第１のヨロイ部から最も遠い距離に移動される。さらに、テンプルの部分１６ａ，１６ｂは、延出片１１とウイング９ａ，９ｂの間に夫々画定される座部１７ａ，１７ｂと、限られた接続の遊びを持って係合するまで移動され、この接続により、ヨロイのテンプルの保持および側方当接作用が保証される。延出片の部分１１ｂは、さらに、テンプルの頭部１４が延出片１１に当接するように移動されるときのテンプルの振動の制限手段として機能し、それにより、テンプルの望ましくない移動に対抗している。
【００２７】
座部１７ａ，１７ｂは、対応するウイング９ａ，９ｂと延出片１１の対向面によって横断方向の境界が定められ、これらの座部は、テンプルがフレームの閉位置に移動されるときにテンプル部の対応する部分１６ａ，１６ｂに横断方向に当接することができる。
【００２８】
図１６〜図１９は、テンプルとフレームのヨロイの間の関節式連結手段６の第２の実施の形態を指しており、前記実施の形態の細部と類似の細部は、同一の参照番号で指示されている。
【００２９】
この実施の形態は、図１６に明らかに示すように、主に、第１のヨロイ部４ａに凹みが設けられていない点で上記の実施の形態とは異なっている。外側からはっきりと見えることによりフレームの美しいラインを損なうような凹みまたは開口の設置を伴わない故に特に有利だと思われるこのような優位性は、以下により詳細に説明するように、延出片１１とテンプルの端部５ａの異なるかつ特定の構造によって得られる。
【００３０】
交差部材１０には、交差部材の両端に対してかつ第１のヨロイ部４ａから離れる方向に突出する中央ブリッジ状部１０ａが設けられている。中央部１０ａからは延出片１１が延出し、部分１１ａ，１１ｂは、実質的に等しい曲率を有する弓形の輪郭に沿って一方が他方に連続するように延在している。このような構造により、さらに、交差部材１０に接続されるウイング部９ａ，９ｂの表面に対して実質的に面一に配置される部分１１ｂの自由端が設けられる。それにより、ヨロイにテンプルを挿入する前に、第２のヨロイ部４ｂが、延出片１１の干渉を受けずに、移動して第１の部分４ａに当接するまで折り曲げられることが保証される。
【００３１】
対応するように、テンプル部１３には、開口１５の箇所の構造に関して、テンプルがヨロイ自体に取り付けられ、かつ開いた状態（図１８）にあるとき第１のヨロイ部４ａから所定の距離に離されるようにテンプルの平面から突出するブリッジ状部材１３ａが設けられている。ブリッジ状構造１３ａにより、上述の実施の形態に設けられるものと機能的には全体的に同様の方法で、テンプルの開位置と閉位置の間の全ての状態においてヨロイに対するテンプルの案内移動中の開口１５と延出片１１の間の適した接続を保証している。
【００３２】
図２１〜図２４は、上述の第２の実施の形態のさらなる構造の変形を指しており、上記実施の形態の細部と類似の細部は、同一の参照番号で指示されている。
【００３３】
この変形は、ヨロイの交差部材１０が、延出片１１の中央取付区域内を含め、平らな板状の形状を有する点で異なっている。延出片１１は、取付部１１ａに、連続部１１ｂに対して曲率が減少した範囲を有している。テンプル端部５ａは、頭部１４の領域に、両側の肩１４ａ，１４ｂの表面の縁に対して高くなったブリッジ状部１４ｃを有している。部分１４ｃは、図２４に示すように、その表面の縁に留まりながら、部分１４ｃと連続し、かつ開口１５の影響を受けるテンプル部１３ａの部分に接続されている。
【００３４】
図２５〜図３０は、本発明のフレーム１の構成を、フロントフレーム２から延出するヨロイ４の区域に限って夫々示しており、半加工状態の板状部材の成形が提示されており、ここから、後に折り曲げることによって、ヨロイの最終的な形状が得られる。図２５では、ヨロイに対して大体の配置で、板の折り曲げ軸が参照記号Ｘで示されている。フレームの厚みを貫通し、かつマウントのレンズキャリアリムの各々から生じる切断輪郭に沿って延在する貫通開口が参照番号２０で示されており、レンズキャリアリムは、参照番号３ａ、３ｂで示されており、対応の隣接するヨロイの方向に延在している。この切断輪郭の結果として、各レンズキャリアリムは、対応するレンズの挿入を可能にするために限度内で広げられながら、なおも、非変形形態に向かうリム部の弾性復帰作用の効果によって、リムに対するレンズのロックおよび保持を保証し得る。この弾性変形およびその結果としての弾性復帰付勢作用は、材料の種類、金属板の寸法および厚み、実行される切断作用の範囲、およびレンズキャリアリムの構造および範囲の影響を受ける。フレームの各特定の構成では、リムにレンズを挿入することおよびレンズ自体の効果的な保持作用を保証することを容易にするのに適した切断輪郭の位置および範囲を有利に画定することができる。
【００３５】
必要であれば、クリップ形状の付加的なロック要素がさらに設けられてもよく、参照番号２５で示されるその一実施の形態が図３１〜図３５に示されている。この要素は、互いに向かって折り曲げられた両側のリップ２６ａ，２６ｂを備える主板２６を含み、この板は、表面積がより小さく、かつ板２６に対して傾斜した側部２６ｃに延びている。クリップ嵌合要素２５は、ヨロイに設けられた一対の対応する両側の延出片２７との相対的なスライド移動によってリップと夫々係合しながら、ヨロイに取り付けられるように構成されている。延出片２７は、ヨロイ上に、対応する切断輪郭によって画定されるスロット２０に対して両側に形成される。このようにして、クリップ嵌合要素の取り付けに続いて、延出片２７の弾性変形効果の結果、スロット２０によって分離されたヨロイの部分同士を元に戻す方向に移動させやすい弾性的な作用を生じ、それにより、夫々のリムによって対応するレンズに加えられるロックおよび保持作用をより効果的にする。スロットの両側に位置するように延在するヨロイ区域同士の間の弾力の度合いを制限しやすい限られた長手方向範囲の切断輪郭を備えるスロット２０がある場合、クリップ嵌合要素２５の使用は、対応するリムにおけるレンズのロックおよび保持作用を向上するので、機能の観点から、また、テンプルの全体的なデザインをより魅力的にするように、切断によって生じるスロットを視界から、すなわち、フレームの外側から覆うので、純粋な美的感覚の観点からも、特に効果的である場合がある。
【００３６】
したがって、本発明は、記述した目的を達成し、これにより、既知の方法に対して多くの利点を得ている。
【００３７】
主な利点は、ヒンジピンを有しないテンプルの関節式連結手段の範囲で、本発明により、フレームの最も端にある開位置と閉位置に加えて、テンプルの移動中ずっとテンプルとヨロイの接続の相対的安定性の向上が得られることを含んでいる。
【００３８】
上述の特有の操作的特徴は、フレームへの組み付けが容易であり、特に細長く、かつ軽量なフレームに適用することもできるように、特に軽量で限られた寸法を有する構造によって得られることである。
【００３９】
さらに別の利点は、この装置の構造的な単純化と限られた部品数に関与し、一般的に極めて小さい寸法を有し、特に軽量型の眼鏡を作るのに特に適している。
【図１】
2018530012.tif 000003
【図２】
2018530012.tif 000004
【図３】
2018530012.tif 000005
【図４】
2018530012.tif 000006
【図５】
2018530012.tif 000007
【図６】
2018530012.tif 000008
【図７】
2018530012.tif 000009
【図８】
2018530012.tif 000010
【図９】
2018530012.tif 000011
【図１０】
2018530012.tif 000012
【図１１】
2018530012.tif 000013
【図１２】
2018530012.tif 000014
【図１３】
2018530012.tif 000015
【図１４】
2018530012.tif 000016
【図１５】
2018530012.tif 000017
【図１６】
2018530012.tif 000018
【図１７】
2018530012.tif 000019
【図１８】
2018530012.tif 000020
【図１９】
2018530012.tif 000021
【図２０】
2018530012.tif 000022
【図２１】
2018530012.tif 000023
【図２２】
2018530012.tif 000024
【図２３】
2018530012.tif 000025
【図２４】
2018530012.tif 000026
【図２５】
2018530012.tif 000027
【図２６】
2018530012.tif 000028
【図２７】
2018530012.tif 000029
【図２８】
2018530012.tif 000030
【図２９】
2018530012.tif 000031
【図３０】
2018530012.tif 000032
【図３１】
2018530012.tif 000033
【図３２】
2018530012.tif 000034
【図３３】
2018530012.tif 000035
【図３４】
2018530012.tif 000036
【図３５】
2018530012.tif 000037
【図３６】
2018530012.tif 000038
【国際調査報告】
2018530012.tif 000039
2018530012.tif 000040